(57)【要約】【課題】吸収体において体液を速やかに拡散させ、且つ漏れに対する不安感を軽減した吸収性物品を提供する。【解決手段】透液性の表面シートと、不透液性の裏面シートと、前記表面シートと前記裏面シートとの間に設けられた吸収体とを有する略細長形状の本体を備えた吸収性物品であって、前記吸収体は、前記裏面シート側に配置された裏面側吸収体層と前記表面シート側に配置された表面側吸収体層とを有し、前記裏面側吸収体層は、略長手方向に延びる一対の帯状高密度部を有し、前記一対の帯状高密度部間の幅は、装着時に装着者の股間に対応する股間対応領域において、１０〜３０ｍｍである。【選択図】図１
2019154650.tif 000002
【特許請求の範囲】
【請求項１】
透液性の表面シートと、不透液性の裏面シートと、前記表面シートと前記裏面シートとの間に設けられた吸収体とを有する略細長形状の本体を備えた吸収性物品であって、
前記吸収体は、前記裏面シート側に配置された裏面側吸収体層と前記表面シート側に配置された表面側吸収体層とを有し、
前記裏面側吸収体層は、略長手方向に延びる一対の帯状高密度部を有し、
前記一対の帯状高密度部間の幅は、装着時に装着者の股間に対応する股間対応領域において、１０〜３０ｍｍである、吸収性物品。
【請求項２】
前記一対の帯状高密度部の後端部及び前端部は、幅方向外側に湾曲している、請求項１に記載の吸収性物品。
【請求項３】
前記一対の帯状高密度部は、一対の前方の帯状高密度部と、一対の後方の帯状高密度部とを含み、
前記一対の前方の帯状高密度部の後端部、及び前記一対の後方の帯状高密度部の前端部は、前記股間対応領域内にあり、
前記一対の前方の帯状高密度部の後端部と、前記一対の後方の帯状高密度部の前端部との長手方向の距離は、１０〜４０ｍｍである、請求項１に記載の吸収性物品。
【請求項４】
前記一対の前方の帯状高密度部の後端部、及び前記一対の後方の帯状高密度部の前端部は、幅方向内側に湾曲している、請求項３に記載の吸収性物品。
【請求項５】
前記帯状高密度部の幅は５〜２５ｍｍである、請求項１から４のいずれか一項に記載の吸収性物品。
【請求項６】
前記一対の帯状高密度部は、圧搾により形成されている、請求項１から５のいずれか一項に記載の吸収性物品。
【請求項７】
前記表面側吸収体層は体液誘導部を有し、
前記体液誘導部は、前記股間対応領域において、平面視で、前記一対の帯状高密度部に重なっている、請求項１から６のいずれか一項に記載の吸収性物品。
【請求項８】
前記本体に、前記表面シート側から前記裏面シート側に窪む、略長手方向に延びる一対の本体圧搾溝が設けられており、
前記一対の本体圧搾溝は、前記股間対応領域において、前記一対の帯状高密度部の幅方向外縁より幅方向内側に配置されている、請求項１から７のいずれか一項に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートと不透液性の裏面シートとの間に吸収体を介在させたものが知られている。
【０００３】
このような吸収性物品では、吸収された体液の移行をコントロールすること等を目的として、場所に応じて吸収体の密度を変えた構成が知られている。例えば、特許文献１には、吸収性コア（吸収体）が、一対の側方領域と、側方領域より幅方向中央側に位置し且つ側方領域より密度が高い一対の高密度領域と、一対の高密度領域間に位置し且つ高密度領域より密度が低い中央低密度領域とを有する構成が記載されている。
【先行技術文献】
【特許文献】
【０００４】
【特許文献１】特開２０１７−８６６２２号公報
【発明の概要】
【発明が解決しようとする課題】
【０００５】
特許文献１の構成では、高密度領域間の領域に取り込まれた液体を、高密度領域へと拡散させることができる。しかしながら、高密度領域は表面シート直下に形成されているため、体液の拡散が表面から見えやすい。そのため、漏れに対する不安感を使用者に与えてしまう場合がある。
【０００６】
上記の点に鑑みて、本発明の一形態は、吸収体において体液を速やかに拡散させ、且つ漏れに対する不安感を軽減できる吸収性物品を提供することを課題とする。
【課題を解決するための手段】
【０００７】
本発明の第一の形態は、透液性の表面シートと、不透液性の裏面シートと、前記表面シートと前記裏面シートとの間に設けられた吸収体とを有する略細長形状の本体を備えた吸収性物品であって、前記吸収体は、前記裏面シート側に配置された裏面側吸収体層と前記表面シート側に配置された表面側吸収体層とを有し、前記裏面側吸収体層は、略長手方向に延びる一対の帯状高密度部を有し、前記一対の帯状高密度部間の幅は、装着時に装着者の股間に対応する股間対応領域において、１０〜３０ｍｍである。
【０００８】
上記第一の形態によれば、吸収体が裏面側吸収体層と表面側吸収体層とを有し、裏面シート側の裏面側吸収体層に、股間対応領域において、１０〜３０ｍｍの間隔を空けて配置された一対の帯状高密度部が設けられている。そのため、体液排出口対応部に排出された体液が表面シートを通して吸収体に到達した体液は、毛管現象によって密度の比較的低い部分から裏面側吸収体層の帯状高密度部へと引き込まれる。そして、この帯状高密度部の形状は平面視で略長手方向に延びる帯状となっているので、引き込まれた体液を、帯状高密度部に沿って吸収体の前方及び後方へと誘導し、拡散させることができる。
【０００９】
また、帯状高密度部は裏面側吸収体層に設けられているため、帯状高密度部に沿った体液の拡散は、体液の拡散が表面側からは見え難くなっている。そのため、使用者が吸収性物品の表面を見た際に感じ得る漏れに対する不安を低減することができる。
【００１０】
本発明の第二の形態では、前記一対の帯状高密度部の後端部及び前端部は、幅方向外側に湾曲している。
【００１１】
上記第二の形態によれば、帯状高密度部に引き込まれた体液を、吸収体の斜め前方及び斜め後方に拡散させることができ、吸収体を効率よく利用することができる。
【００１２】
本発明の第三の形態では、前記一対の帯状高密度部は、一対の前方の帯状高密度部と、一対の後方の帯状高密度部とを含み、前記一対の前方の帯状高密度部の後端部、及び前記一対の後方の帯状高密度部の前端部は、前記股間対応領域内にあり、前記一対の前方の帯状高密度部の後端部と、前記一対の後方の帯状高密度部の前端部との長手方向の距離は、１０〜４０ｍｍである。
【００１３】
上記第三の形態によれば、一対の帯状高密度部が前方と後方とに分かれているため、体液排出口対応部及びその近傍の領域において、高密度部が設けられている部分を減らすことができる。このため、体液排出口対応部及びその近傍の領域において、吸収体の柔らかさを保つことができ、装着感を向上させることができる。
【００１４】
本発明の第四の形態では、前記一対の前方の帯状高密度部の後端部、及び前記一対の後方の帯状高密度部の前端部は、幅方向内側に湾曲している。
【００１５】
上記第四の形態によれば、前方の帯状高密度部の後端部、及び後方の帯状高密度部の前端部が体液排出口対応部を向くように方向付けられ、体液排出口対応部に近付けられている。そのため、体液排出口対応部及びその近傍に排出された体液を、前方の帯状高密度部の後端部及び後方の帯状高密度部の前端部から速やかに引き込むことができる。
【００１６】
本発明の第五の形態では、前記帯状高密度部の幅は５〜２５ｍｍである。
【００１７】
上記第五の形態によれば、一対の帯状高密度部が所定の幅を有することで、体液を吸収体において長手方向に適切に誘導させることができる。また、高密度部の面積が過度に大きくなって吸収体の剛性が高まることを防ぎ、良好な装着感も確保することができる。
【００１８】
本発明の第六の形態では、前記一対の帯状高密度部は、圧搾により形成されている。
【００１９】
上記第六の形態によれば、吸収体の坪量を均一にしたまま、高密度部を形成することができるので、少ない工程で製造することができる。
【００２０】
本発明の第七の形態では、前記表面側吸収体層は体液誘導部を有し、前記体液誘導部は、前記股間対応領域において、平面視で、前記一対の帯状高密度部に重なっている。
【００２１】
上記第七の形態によれば、吸収体の表面シート側の表面側吸収体層の体液誘導部によって、吸収体の上層での体液の誘導が可能になる。また、平面視で、表面側吸収体層の体液誘導部が裏面側吸収体層の帯状高密度部に重なっていることで、表面側吸収体層の体液誘導部に引き込まれた体液を速やかに裏面側吸収体層の帯状高密度部に引き込んで、長手方向に誘導することが可能となる。
【００２２】
本発明の第八の形態は、前記本体に、前記表面シート側から前記裏面シート側に窪む、前記長手方向に延びる一対の本体圧搾溝が設けられており、前記一対の本体圧搾溝は、前記股間対応領域において、前記一対の帯状高密度部の幅方向外縁より幅方向内側に配置されている。
【００２３】
上記第八の形態によれば、本体圧搾溝（フィットエンボス）の位置が、一対の帯状高密度部の幅方向外縁より内側となっているので、本体圧搾溝に沿って移行しつつ吸収体に吸収される体液が、帯状高密度部の幅方向外側に拡散されて漏れやすくなることを防止することができる。
【発明の効果】
【００２４】
本発明の一形態によれば、吸収体において体液を速やかに拡散させ、且つ漏れに対する不安感を軽減できる吸収性物品を提供することができる。
【図面の簡単な説明】
【００２５】
【図１】本発明の一形態による吸収性物品の一部が破断した平面図を示す。
【図２】図１のＩ−Ｉ線断面図を示す。
【図３】本発明の一形態による吸収性物品の構成要素の一部を表面シート側から取り去り、吸収体の下層（裏面側吸収体層）が一部露出した状態の図を示す。
【図４】吸収性物品の変形例における帯状高密度部及びその近傍の断面図を示す。
【図５】本発明の別の形態による吸収性物品の構成要素の一部を表面シート側から取り去り、吸収体の下層（裏面側吸収体層）が一部露出した状態の図を示す。
【図６】本発明の別の形態による吸収性物品の構成要素の一部を表面シート側から取り去り、吸収体の下層（裏面側吸収体層）が一部露出した状態の図を示す。
【図７】本発明の別の形態による吸収性物品の構成要素の一部を表面シート側から取り去り、吸収体の下層（裏面側吸収体層）が一部露出した状態の図を示す。
【図８】図７のＩＩ−ＩＩ線断面図を示す。
【図９】本発明の別の形態による吸収性物品の上面図を示す。
【発明を実施するための形態】
【００２６】
以下、図面を参照しながら、本発明の実施形態を詳説する。なお、各図面において、特に説明がない限り、同一の又は対応する構成については同一の符号を付して説明を省略する場合がある。
【００２７】
図１に、本発明の一形態による吸収性物品１の一部破断平面図を示す。また、図２に、吸収性物品１のＩ−Ｉ線断面図（側方の一部を省略して図示）を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収性物品１の装着時には、表面シート３側が肌に触れる側となり、裏面シート２側が下着に固定される側となる。
【００２８】
本形態では、吸収体４は、下側（裏面シート２側）に配置された裏面側吸収体層５と、上側（表面シート３側）に配置された表面側吸収体層６との２層構造になっている。裏面側吸収体層５は、後に詳述するように、密度が比較的高い帯状高密度部５Ｈを備えており、帯状高密度部５Ｈ以外の部分を低密度部５Ｌとすることができる。
【００２９】
吸収体４は、その形状保持等を目的として、クレープ紙又は不織布等からなる被包シート９によって包まれていてもよい。ここで、裏面側吸収体層５及び表面側吸収体層６が積層された２層の吸収体全体が被包シート９によって包まれていてもよいし、裏面側吸収体層５及び表面側吸収体層６の少なくとも一方が被包シート９によって包まれていてもよい。また、被包シート９によって吸収体４を包むのではなく、被包シート９を、裏面側吸収体層５と表面側吸収体層６との間に単に配置することもできる。被包シート９によって吸収体層が包まれているか（被包シート９が吸収体層に巻き付けられているか）否かに関わらず、被包シート９が裏面側吸収体層５と表面側吸収体層６との間に存在していることによって、各吸収体層のよれや割れを防止することができる。
【００３０】
また、被包シート９として、無着色（すなわち、白色）のクレープ紙や不織布を用いることもできるし、着色されたものを用いることもできる。着色された被包シート９を用いた場合、被包シート９の色は、表面シート３側からも薄い色として反映され得る。そのため、排出された体液の色を、その反映された被包シート９の色に紛れさせて目立たなくすることができることができる。被包シート９は、例えば、体液の色の補色に着色することができる。例えば、経血の吸収を目的として構成された吸収性物品（生理用ナプキン等）においては、被包シート９を、赤色の補色である緑色に着色することができる。
【００３１】
図１に示すように、本体８は全体として、第１方向Ｄ１に所定の長さを有し、第１方向Ｄ１と直交する第２方向Ｄ２に所定の幅を有する細長い形状を有している。本体８の幅は、図示の例では略一定となっているが、第１方向（長手方向）Ｄ１にわたって変化していてもよい。吸収性物品１は、第１方向（長手方向）Ｄ１に延びる中心線（長手方向中心線）ＣＬに対して略線対称の形状を有することができる。また、吸収性物品１の構成（後述の吸収体４の密度が高められた部分、本体に形成される圧搾溝等の大きさや位置）は、中心線を対称軸として略対称であってもよいし、非対称であってもよい。
【００３２】
吸収性物品１における第１方向Ｄ１の長さ（吸収性物品１の全長）は、１００〜４５０ｍｍとすることができ、好ましくは１４０〜３６０ｍｍ、より好ましくは１７０〜２９０ｍｍとすることができる。また、吸収性物品１における、第１方向Ｄ１に直交する第２方向Ｄ２の長さ（吸収性物品１の幅）は、５０〜２００ｍｍとすることができ、好ましくは７０〜１２０ｍｍとすることができる。
【００３３】
吸収性物品１は、装着時に装着者の膣口等の体液排出口に対応する部分（体液排出口対応部）Ａを有しており、体液排出口対応部Ａは中心Ａｃを有している。中心Ａｃは、長方向中心線ＣＬ上にあり、体液排出口対応部Ａの長手方向の長さの中央に位置している。中心Ａｃの位置は、例えば、吸収性物品１の前端から７０〜１３０ｍｍの位置とすることができる。また、体液排出口対応部Ａは、長さ（長手方向Ｄ１の長さ）が１０〜５０ｍｍ、好ましくは２０〜４０ｍｍ程度であり、体液排出口対応部Ａの幅（幅方向Ｄ２の長さ）が５〜４０ｍｍ、好ましくは１０〜３０ｍｍ程度の領域とすることができる。なお、図示の体液排出口対応部Ａの形状及び大きさは、説明を容易にするための例示にすぎない。
【００３４】
吸収性物品１は、装着時に装着者の股間に対応する股間対応領域Ｍと、股間対応領域Ｍの前方にある前方領域Ｆと、股間対応領域Ｍの後方にある後方領域Ｒとを有する。股間対応領域Ｍには、上述の体液排出口対応部Ａが含まれる。また、股間対応領域Ｍは、その両側方から延びる、吸収性物品１を装着の際に下着に確実に固定するためのウィングＷ、Ｗを有していてよい。前方領域Ｆは、ウィングＷの前方の起点となる位置から前端縁までの領域であり、後方領域Ｒは、ウィングＷの後方の起点となる位置から後端縁までの領域とすることができる。また、ウィングＷ、Ｗが設けられている場合、体液排出口対応部Ａの中心Ａｃの長手方向Ｄ１での位置は、ウィングＷ、Ｗの側方の端縁の長手方向長さの中点の位置であってもよい。
【００３５】
なお、図１の形態では、吸収性物品１はウィングＷ、Ｗを有しているが、吸収性物品１はウィングＷ、Ｗのない形態とすることができる。その場合、ウィングＷ、Ｗが従来形成される位置にウィングＷ、Ｗを形成した場合に、ウィングＷ、Ｗ前方の起点となる位置から前方の領域を前方領域Ｆとし、ウィングＷ、Ｗの後方の起点となる位置から後方の領域を後方領域Ｒとすることができる。
【００３６】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸又は二軸方向に延伸することにより得られる微多孔性シート等を用いることができる。
【００３７】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維等の複合繊維を用いることもできる。
【００３８】
裏面シート２と表面シート３との間に介在させる吸収体４は、体液を吸収して保持できる材料であれば限定されないが、綿状パルプと吸水性ポリマーとを含むことが好ましい。吸水性ポリマーとしては、高吸水ポリマー粒状粉、高吸水ポリマー繊維及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３９】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００４０】
吸収体４は、積繊又はエアレイド法によって製造されたものが好ましい。吸収体４は全体として、前面にわたり均一な厚みを有していなくともよく、体液排出口対応部５０及びその近傍の領域、股間対応領域Ｍから後方領域Ｒにかけての幅方向中央部分を膨出させた構造とすることもできる。
【００４１】
吸収体４の前方及び後方の端縁部では裏面シート２と表面シート３との外縁がホットメルト等の接着剤やヒートシール、超音波シール等の接着手段によって接合されている。また、吸収体４の側方においては、表面シート３側の両側部に長手方向Ｄ１に沿って設けられたサイド不織布７、７と、裏面シート２とが上記接着手段によって接合されており、これにより上述のウィングＷ、Ｗが形成されている。
【００４２】
サイド不織布７としては、体液の浸透を防止する、或いは肌触り感を高める等の目的に応じて、適宜の撥水処理又は親水処理を施した不織布素材を用いて構成されている。サイド不織布７としては、天然繊維、合成繊維又は再生繊維等を素材とすることができる。サイド不織布７の撥水処理には、シリコン系、パラフィン系等の撥水剤を用いることができる。
【００４３】
図１に示すように、本形態における吸収体４は、下側（裏面シート２側）の裏面側吸収体層５と、上側（表面シート３側）の表面側吸収体層６とを有している。このように吸収体４が２層になっていることで、各層に異なる機能を持たせることが可能になる。
【００４４】
図３に、図１の吸収性物品１の表側から、サイド不織布７、７、表面シート３、及び被包シート９、及び吸収体４の上側（表面シート３側）の層である表面側吸収体層６の一部を取り去った後の図を示す。図３に示すように、裏面側吸収体層５には、幅方向（第２方向）Ｄ２に間隔を空けて配置された一対の帯状高密度部５Ｈ、５Ｈが設けられている。この帯状高密度部５Ｈは、裏面側吸収体層５において、局所的に吸収体の密度が高められた部分である。つまり、帯状高密度部５Ｈと、この帯状高密度部５Ｈに隣接する部分との間には吸収体の密度差が存在している。
【００４５】
図示の形態では、裏面側吸収体層５において、一対の帯状高密度部５Ｈ、５Ｈ以外の部分を低密度部５Ｌとしている。低密度部５Ｌは、帯状高密度部５Ｈに対して相対的に密度が低い部分である。低密度部５Ｌが全体として帯状高密度部５Ｈよりも低い密度を有し、少なくとも帯状高密度部５Ｈに隣接する部分の密度が帯状高密度部５Ｈより小さいのであれば、低密度部５Ｌ内において密度が異なる部分が形成されていてもよい。例えば、後述のように、低密度部５Ｌを含む本体８全体に本体圧搾溝（本体を圧搾して形成される溝）が形成されて、低密度部５Ｌ内において密度が比較的高い部分が局所的に形成されていてもよい。
【００４６】
吸収体の密度の高い部分においては、密度が低い部分に比べて液体が通り得る隙間が狭いため、毛管現象が顕著に生じる。そのため、本体８に排出された体液は、密度が低い部分から密度が高い部分へと引き込まれる傾向がある。本形態では、裏面側吸収体層５に密度が高められた一対の帯状高密度部５Ｈ、５Ｈが形成されていることで、体液が帯状高密度部５Ｈに引き込まれやすくなっている。よって、吸収体４の表面側吸収体層６に吸収された体液は、表面側吸収体層６が帯状高密度部５Ｈに接していれば、表面側吸収体層６から帯状高密度部５Ｈへと直接引き込まれ得る。また、表面側吸収体層６が帯状高密度部５Ｈに直接接していなくても、表面側吸収体層６から、裏面側吸収体層５の帯状高密度部５Ｈが形成されていない部分（低密度部５Ｌ）に浸透した体液が、裏面側吸収体層５内で帯状高密度部５Ｈへと引き込まれ得る。
【００４７】
そして、帯状高密度部５Ｈは長手方向Ｄ１に沿って帯状に形成されているので、帯状高密度部５Ｈに引き込まれた体液は、長手方向Ｄ１に沿って前方及び後方へと誘導されやすくなる。そのため、横漏れを防ぐことができ、細長形状の吸収体の前方及び後方の領域を有効的に利用することができる。
【００４８】
また、帯状高密度部５Ｈ、５Ｈはそれぞれ、長手方向中心線ＣＬと幅方向Ｄ２の端部との間に形成されている。つまり、帯状高密度部５Ｈは、幅方向Ｄ２の端部にまで延在していない。そのため、上述のように長手方向Ｄ１に沿った体液の拡散が促進される一方、幅方向Ｄ２外側への体液の拡散は抑制される。よって、いわゆる横漏れを有効に防止することができる。
【００４９】
本形態では、帯状高密度部５Ｈがあることで、前方及び後方への体液の誘導・分散を、主として裏面側吸収体層５（下側の層）で行うことができる。体液が面方向に広がった状態が表面から顕著に見えてしまうと、使用者は漏れてしまうのではないかという不安感を抱き得るが、本形態によれば、そのような不安感も低減することができる。
【００５０】
図３に示すように、一対の帯状高密度部５Ｈ、５Ｈは、少なくとも股間対応領域Ｍにおいて、所定の距離ｄ１を置いて形成されている。よって、距離ｄ１内の場所、つまり体液排出口対応部Ａ又は体液排出口対応部Ａの中心Ａｃに近い場所では高密度部がない構成とすることができる。これにより、股間対応領域Ｍ内の、特に体液排出口対応部Ａ又は体液排出対応部Ａの中心Ａｃに近い部分の柔軟性を保つことができる。吸収性物品が接触する身体部位のうち、体液排出口及びその周辺は特にデリケートな部位であるので、その部位に対応する吸収体の部分に高密度部を形成しないことで、装着感を向上させることができる。また、長手方向中心線ＣＬに近い部分に高密度になっていないことにより、装着時における、長手方向中心線ＣＬ付近が肌側に盛り上がりやすくなり、フィット性を向上させることもできる。
【００５１】
一対の帯状高密度部５Ｈ、５Ｈ間の幅、すなわち、股間対応領域Ｍ内での一対の帯状高密度部５Ｈ、５Ｈ間の幅方向（第２方向Ｄ２）の距離ｄ１は、１０〜３０ｍｍであってよく、好ましくは１２〜２５ｍｍであってよい。距離ｄ１が１０ｍｍ以上であることで、体液排出口対応部Ａ又は体液排出口対応部Ａの中心Ａｃに近い部分の柔軟性を確実に確保できる。距離ｄ１が３０ｍｍ以下であることで、体液を誘導する帯状高密度部５Ｈが幅方向外側に寄りすぎず、体液の帯状高密度部５Ｈへの到達の遅れを防止することができる。
【００５２】
一対の帯状高密度部５Ｈ、５Ｈ間の距離は、長手方向全体で見て、すなわち股間対応領域Ｍ以外の領域（前方領域Ｆ及び／又は後方領域Ｒ）において、ｄ１以上とすることができる。これにより、前方領域Ｆ及び／又は後方領域Ｒにおいて、吸収体が長手方向中心線ＣＬ近くで硬くなって装着感を損なうことを防止することができる。
【００５３】
図３に示すように、帯状高密度部５Ｈは、所定の幅を有する帯状の平面視形状を有する。各帯状高密度部５Ｈの幅（第２方向Ｄ２の長さ）は５〜２５ｍｍであってよく、好ましくは８〜１５ｍｍであってよい。帯状高密度部５Ｈの幅を５ｍｍ以上とすることで、体液を帯状高密度部５Ｈに引き込む力を向上させ、裏面側吸収体層５において体液を長手方向に適切に誘導させることができる。また、帯状高密度部５Ｈの幅を２５ｍｍ以下とすることで、高密度部の面積が過度に大きくなって吸収体の剛性が過度に高まることを防ぎ、良好な装着感を確保することができる。
【００５４】
帯状高密度部５Ｈの幅は、図示の形態では前方から後方にかけて一定となっているが、変化していてもよい。例えば、帯状高密度部５Ｈの幅は、吸収性物品の長手方向の端部に近い程（前方又は後方に近い程）大きくすることができる。これにより、吸収された体液を長手方向の前方及び後方に誘導する機能を高めることができる。また、帯状高密度部５Ｈの幅方向内縁及び幅方向外縁の少なくとも一方が、直線状でない部分、例えばジグザグ状や波状である部分を有していてもよい。
【００５５】
図示の形態では、帯状高密度部５Ｈは、裏面側吸収体層５の長手方向Ｄ１にわたって延在している。つまり、一対の帯状高密度部５Ｈ、５Ｈの前端部５Ｈａ、５Ｈａ及び後端部５Ｈｂ、５Ｈｂは、裏面側吸収体層５（吸収体４及び本体８）の前端及び後端に達している。これにより、帯状高密度部５Ｈによる前方及び後方に体液を誘導する機能を高めることができる。しかし、帯状高密度部５Ｈの前端部５Ｈａ及び後端部５Ｈｂは、裏面側吸収体層５の前端及び後端よりも長手方向内側の位置で終端しており、吸収体４の長手方向Ｄ１長さよりも短くなっていてよい。例えば、帯状高密度部５Ｈの長手方向Ｄ１の長さは、吸収体４の長手方向Ｄ１の長さの４分の３以上、好ましくは６分の５以上とすることができる。
【００５６】
上述のように帯状高密度部５Ｈは、周囲よりも相対的に密度の高い部分、つまり隣接する低密度部５Ｌよりも相対的に密度の高い部分である。帯状高密度部５Ｈの密度は、帯状高密度部５Ｈが低密度部５Ｌから体液を引き込む機能を有していれば特に限定されないが、帯状高密度部５Ｈの密度は４０〜１２０ｋｇ／ｍ３であると好ましく、６０〜１００ｋｇ／ｍ３であるとより好ましい。
【００５７】
また、低密度部５Ｌの密度は、２５〜６０ｋｇ／ｍ３であると好ましい。
【００５８】
上記の帯状高密度部５Ｈ及び低密度部５Ｌの密度は、帯状高密度部５Ｈ内又は低密度部５Ｌ内で密度が異なっている場合には、密度の平均値であってよい。
【００５９】
なお、本明細書における、吸収体（裏面側吸収体層及び表面側吸収体層）の密度及び厚みの値は、後述の本体圧搾溝（フィットエンボス）が設けられていない状態での値とすることができる。
【００６０】
また、本明細書においては、吸収体の密度は、次のようにして測定することができる。吸収体から測定したい部分（フィットエンボスが設けられていない部分）を任意の大きさに切り取り、面積を測定する。さらに、切り取った部分の重量を測定し、また厚みを測定する。このように測定された面積、厚み、及び重量から密度を算出する。
【００６１】
厚みは、例えば、厚み測定器（株式会社尾崎製作所製「ピーコック」、型番：ＦＦＤ―７）を測定することができる。また、表面側吸収体層又は裏面側吸収体層の密度を求める場合には、測定したい方の層を剥がして任意の大きさに切り取り、上述のように各値を測定して密度を算出する。吸収体の所定の部分における表面側吸収体層及び裏面側吸収体層の密度比較する場合には、切り取った吸収体の部分から各層を剥がして測定を行う。
【００６２】
帯状高密度部５Ｈは、圧搾により形成することができる。その場合、例えば、均一な厚み及び密度を有する吸収体層を準備し、帯状高密度部５Ｈを形成したい所定の部分を圧搾することによって帯状高密度部５Ｈを形成することができる。圧搾は、準備した吸収体層を、一対の加圧ロールの間を通過させることによって行うことができる。この一対の加圧ロールは、例えば、帯状高密度部５Ｈの形状に対応した凹部を表面に有する一方のロールと、凹部を有さない平坦な他方のロールとの組合せとすることができる。このような圧搾を利用することで、容易に帯状高密度部５Ｈを形成することができる。
【００６３】
図４に、圧搾により形成された帯状高密度部５Ｈを有する形態を示す。図４は、図１のＩ−Ｉ線に沿って切断した、吸収体４を部分的に示す断面図である。図４に示すように、裏面側吸収体層５には表面側から裏面側へと窪みが形成されており、その位置に帯状高密度部５Ｈが形成されている。つまり、図示の形態では、帯状高密度部５Ｈは、低密度部５Ｌに比べて密度が大きいが、厚みが小さくなっている。このように、圧搾溝を形成することで、帯状高密度部５Ｈを形成することができる。帯状高密度部５Ｈが圧搾（圧縮）により形成されていることにより、装着時には、吸収体が帯状高密度部５Ｈを基点として変形しやすくなるため、長手方向中心線ＣＬ付近の領域が肌側に盛り上がりやすくなり、フィット性が向上するという効果も得られる。
【００６４】
なお、帯状高密度部５Ｈを圧搾した場合、帯状高密度部５Ｈの厚さは、圧搾前の状態の厚さ１００％に対して２０〜７０％であってよく、３０〜５５％程度であると好ましい。
【００６５】
図４には、体液の流れの例を矢印で示されている。図４に示すような吸収体４においては、表面側に排出された体液は、毛管現象、重力等によって表面側吸収体層６を通って、裏面側吸収体層５へと拡散する。そして、裏面側吸収体層５に到達した体液は、低密度部５Ｌから帯状高密度部５Ｈへと移行し、さらに帯状高密度部５Ｈの長手方向（紙面に直交する方法）に沿って、裏面側吸収体層５の前方及び後方に拡散することができる。
【００６６】
図４の形態では、裏面側吸収体層５の帯状高密度部５Ｈは、吸収体層を表面側から圧搾することによって、表面側に圧搾溝ができるように形成されている。しかし、吸収体層を裏面側から圧搾することによって圧搾溝を形成してもよい。その場合、帯状高密度部５Ｈと、表面側吸収体層６とが接する構成とすることができ、表面側吸収体層６から帯状高密度部５Ｈへの体液の移行をより促進させることができる。また、表面及び裏側の両側から圧搾することによって帯状高密度部５Ｈを形成することもできる。
【００６７】
裏面側吸収体層５の製造においては、均一な厚み及び密度を有する吸収体層を準備し、帯状高密度部５Ｈを形成したい部分と同じ形状を有する別の吸収体層片を、帯状高密度部５Ｈを形成したい部分に積層し、少なくとも、その別の吸収体層片を積層させた部分を圧搾することもできる。この場合、圧搾の条件を調整することにより、裏面側吸収体層５の厚みを均一にする、すなわち帯状高密度部５Ｈとそれ以外の部分（低密度部５Ｌ）との厚みを同等にすることもできる。
【００６８】
また、積繊の際に、帯状高密度部５Ｈを形成したい部分の目付がより大きく（厚みが大きく）なるように吸収体層を形成し、少なくとも、目付を大きくした部分を圧搾することによっても、帯状高密度部５Ｈを有する裏面側吸収体層５を形成することができる。
【００６９】
さらに、帯状高密度部５Ｈと、低密度部５Ｌとを別々に形成しておいて組み合わせることもできる。例えば、一対の帯状高密度部５Ｈ、５Ｈを形成したい部分を除いた領域のみの吸収体層を形成し、その後、一対の帯状高密度部５Ｈ、５Ｈの形状に形成しておいた高密度の吸収体層片を嵌め込むことができる。また、厚みが均一な吸収体層を形成しておいて、一対の帯状高密度部５Ｈ、５Ｈを形成したい範囲における表面側の一部を刳り抜き、別途高密度に形成しておいた吸収体層片を嵌め込むこともできる。その場合、帯状高密度部５Ｈと低密度部５Ｌとの吸収体に用いる材料（吸収体に含まれる繊維の径、長さ、粒子の径、形状等）が異なるようにしてもよい。この場合も、一対の帯状高密度部５Ｈ、５Ｈと低密度部５Ｌとの厚さは同じにすることもできるし、異ならせることもできる。
【００７０】
表面側吸収体層６の構成は特に限定されないが、表面側吸収体層６の密度は全体として均一とすることができるし、後述のように、表面側吸収体層６の比較的小さな部分の密度を変更する等して、体液の誘導に利用することもできる。但し、表面側吸収体層６には、裏面側吸収体層５に形成されているような帯状の高密度部が形成されていないことが好ましい。これにより、表面側吸収体層６における面方向での拡散が、表面シート３を通して目立ってしまうことを防止することができる。
【００７１】
表面側吸収体層６の密度は、裏面側吸収体層５の低密度部５Ｌの密度と同等とすることができ、また低密度部５Ｌの密度よりも小さくすることができる。表面側吸収体層６の密度が裏面側吸収体層５の低密度部５Ｌの密度よりも小さくすると、表面側吸収体層６から裏面側吸収体層５への体液の引き込みを促進することができる。表面側吸収体層６の密度は、２０〜８０ｋｇ／ｍ３であると好ましく、２５〜５０ｋｇ／ｍ３であるとより好ましい。
【００７２】
吸収体４全体の厚みは、０．３〜３０ｍｍの範囲内とすることができ、１．０〜１５ｍｍの範囲であると好ましい。
【００７３】
裏面側吸収体層５の厚み（低密度部５Ｌの厚み）は、１．０〜５．５ｍｍであると好ましく、１．５〜３．０ｍｍであるとより好ましい。帯状高密度部５Ｈが圧搾により形成されている場合には、帯状高密度部５Ｈの厚みは０．５〜３．５ｍｍであると好ましく、１．０〜２．０ｍｍであるとより好ましい。また、表面側吸収体層６の厚みは、１．０〜５．５ｍｍであると好ましく、１．５〜３．０ｍｍであるとより好ましい。裏面側吸収体層５の厚みと表面側吸収体層６の厚みは、同等であってもよいし、異なっていてもよい。表面側吸収体層６の厚みの方が大きい場合には、体液の拡散を表面側から見て目立たないようにするという観点からは好ましい。一方、裏面側吸収体層５の厚みが大きい場合には、長手方向の拡散を一層促進できるという観点から好ましい。
【００７４】
なお、表面側吸収体層６の面積は、一対の帯状高密度部５Ｈ、５Ｈに重なっているのであれば、裏面側吸収体層５と同様であってもよく、異なっていてもよい。また、表面側吸収体層６は、一対の帯状高密度部５Ｈ、５Ｈの全体を覆っていることが好ましい。
【００７５】
図５に、帯状高密度部の変形例として一対の帯状高密度部２５Ｈ、２５Ｈを備えた形態を示す。図５は、図３と同様に、吸収性物品２０の表側から、サイド不織布、表面シート、及び被包シート、及び吸収体の上側（表面シート側）の層である表面側吸収体層２６の一部を取り去った後の図を示す。図５の形態では、一対の帯状高密度部２５Ｈ、２５Ｈの前端部２５Ｈａ、２５Ｈａ及び後端部２５Ｈｂ、２５Ｈｂが、幅方向外側に湾曲している点で、図３の形態とは異なる。この構成により、帯状高密度部２５Ｈに引き込まれた体液を、裏面側吸収体層５の斜め前方及び斜め後方に拡散させることができ、吸収体を効率よく利用することができる。
【００７６】
図６に、別の形態による吸収性物品３０を部分的に示す。図６は、吸収性物品３０の表面側から、サイド不織布、表面シート、及び被包シート、及び表面側吸収体層３６の一部を取り去った後の図である。図６には、裏面シート３２の上に載置された裏面側吸収体層３５と、この裏面側吸収体層３５上に配置された表面側吸収体層３６とが示されている。
【００７７】
図６の形態は、図３の形態と基本的な構成は同様であるが、一対の帯状高密度部３５Ｈ、３５Ｈが、一対の前方の帯状高密度部３５Ｈｆ、３５Ｈｆと、一対の後方の帯状高密度部３５Ｈｒ、３５Ｈｒとに分かれている点で異なっている。図６に示すように、一対の前方の帯状高密度部３５Ｈｆ、３５Ｈｆは、体液排出口対応部Ａの中心Ａｃより前方に配置されており、一対の後方の帯状高密度部３５Ｈｒ、３５Ｈｒは、体液排出口対応部Ａの中心Ａｃより後方に配置されていることが好ましい。このように一対の帯状高密度部が前後に分かれていることで、体液排出口対応部Ａ及びその近傍において、長手方向で見ても、高密度部のない部分を形成することができる。そのため、体液排出口対応部Ａ及びその近傍において、吸収体の柔らかさを確保することができる。これにより、装着時にその部位に接触する体液排出口対応部及びその周辺の部分の吸収体の柔軟性、クッション性を高めることによって、装着感を効果的に向上させることができる。
【００７８】
図６に示すように、一対の前方の帯状高密度部３５Ｈｆ、３５Ｈｆは、前端部３５Ｈｆａ、３５Ｈｆａと、後端部３５Ｈｆｂ、３５Ｈｆｂとを有している。また、一対の後方の帯状高密度部３５Ｈｒ、３５Ｈｒは、前端部３５Ｈｒａ、３５Ｈｒａと、後端部３５Ｈｒｂ、３５Ｈｒｂとを有している。そして、一対の前方の帯状高密度部３５Ｈｆ、３５Ｈｆの後端部３５Ｈｆｂ、３５Ｈｆｂ、及び一対の後方の帯状高密度部３５Ｈｒ、３５Ｈｒの前端部３５Ｈｒａ、３５Ｈｒａはそれぞれ、体液排出口対応部Ａを含む股間対応領域Ｍ内に位置している。これにより、体液が排出される位置又は範囲が股間対応領域Ｍ内で多少ずれたとしても、一対の前方の帯状高密度部３５Ｈｆ、３５Ｈｆと、一対の後方の帯状高密度部３５Ｈｒ、３５Ｈｒと少なくとも一方で、排出された体液が確実に届くようになるので、体液を前方及び後方の少なくとも一方に良好に誘導させることができる。
【００７９】
前方の帯状高密度部３５Ｈｆの後端部３５Ｈｆｂと、後方の帯状高密度部３５Ｈｒの前端部３５Ｈｒａとの長手方向の距離ｄ２は、１０〜４０ｍｍであると好ましく、２０〜３０ｍｍであるとより好ましい。距離ｄ２が１０ｍｍ以上であることで、吸収体の柔軟性及びクッション性を向上させることができる。一方、距離ｄ２が４０ｍｍ以下であることで、排出された体液が、前方の帯状高密度部３５Ｈｆの後端部３５Ｈｆｂ及び後方の帯状高密度部３５Ｈｒの前端部３５Ｈｒａによって確実に届くようになり、体液を長手方向に誘導することができる。
【００８０】
図６に示すように、一対の前方の帯状高密度部３５Ｈｆ、３５Ｈｆの後端部３５Ｈｆｂ、３５Ｈｆｂ、及び一対の後方の帯状高密度部３５Ｈｒ、３５Ｈｒの前端部３５Ｈｒａ、３５Ｈｒａは、幅方向内側に湾曲していてもよい。このような湾曲により、帯状高密度部を、長手方向で見て体液排出口対応部Ａの中心Ａｃに近付く程、幅方向にも体液排出口Ａの中心Ａｃに近付けることができる。この構成により、１回の排出量が少量であっても、体液を直ちに、前方の帯状高密度部３５Ｈｆ、３５Ｈｆの後端部３５Ｈｆｂ、３５Ｈｆｂ、及び後方の帯状高密度部３５Ｈｒ、３５Ｈｒの前端部３５Ｈｒａ、３５Ｈｒａに到達させ、帯状高密度部に沿って誘導させることができる。なお、図示の形態では、前方の帯状高密度部３５Ｈｆの後端部３５Ｈｆｂ、及び後方の帯状高密度部３５Ｈｒの前端部３５Ｈｒａの両方が幅方向内側に湾曲しているが、少なくとも一方が湾曲する形態とすることもできる。
【００８１】
図７に、別の形態による吸収性物品４０の構成を部分的に示す。図７は、吸収性物品４０の表面側から、サイド不織布、表面シート、及び被包シート、及び表面側吸収体層４６の一部を取り去った後の図である。図７においては、裏面シート４２の上に載置された裏面側吸収体層４５と、この裏面側吸収体層４５上に配置された表面側吸収体層４６とが示されている。また、図８に、図７のＩＩ−ＩＩ線断面図を示す。
【００８２】
図７に示す裏面側吸収体層４５は、図３に示した裏面側吸収体層５と同様の構成を有する。つまり、図７に示すように、裏面側吸収体層４５には、一対の帯状高密度部４５Ｈ、４５Ｈが設けられており、この一対の帯状高密度部４５Ｈ、４５Ｈは、少なくとも股間対応領域Ｍにおいて、互いに間隔ｄ１を置いて配置され、吸収体４４の前端から後端まで長手方向Ｄ１に延びている。しかし、本形態においては、表面側吸収体層４６に一対の体液誘導部４６Ｃ、４６Ｃが形成されている点で、図３に示す形態と異なっている。
【００８３】
図７及び図８に示すように、一対の体液誘導部４６Ｃ、４６Ｃは、体液排出口対応部Ａを含む股間対応領域Ｍに設けられている。これにより、股間対応領域Ｍ内にある程度の範囲をもって排出された体液を、表面側吸収層４６において、一対の体液誘導部４６Ｃ、４６Ｃへと引き込むことができる。
【００８４】
さらに、一対の体液誘導部４６Ｃ、４６Ｃは、上面視で、一対の帯状高密度部４５Ｈ、４５Ｈとそれぞれ重なっていると好ましい。これにより、一対の高密度部４６Ｈ、４６Ｈに引き込まれた体液は、その下にそれぞれ位置する一対の帯状高密度部４５Ｈ、４５Ｈに誘導しやすくなる。また、一対の体液誘導部４６Ｃ、４６Ｃは、一対の帯状高密度部４５Ｈ、４５Ｈの範囲内にそれぞれ形成されている、すなわち、一対の帯状高密度部４５Ｈ、４５Ｈの内縁をそれぞれ越えないように形成されているとさらに好ましい。
【００８５】
一対の体液誘導部４６Ｃ、４６Ｃは、体液誘導部４６Ｃ以外の部分より密度が高い部分（高密度部）とすることができる。その場合、体液誘導部４６Ｃ，４６Ｃの密度は、４０〜１１０ｋｇ／ｍ３であると好ましく、５０〜９０ｋｇ／ｍ３であるとより好ましい。また、表面側吸収体層４６の体液誘導部４６Ｃの密度は、裏面側吸収体層４５の帯状高密度部４５Ｈの密度よりも小さいと好ましい。これにより、体液誘導部４６Ｃから、下層の裏面側吸収体層４５の帯状高密度部４５Ｈへの体液の移行が容易になる。
【００８６】
体液誘導部４６Ｃの大きさは、裏面側吸収体層５の帯状高密度部５Ｈより小さいことが好ましい。例えば、体液誘導部４６Ｃの長手方向Ｄ１の長さは、１０〜３０ｍｍ程度であり、幅方向Ｄ２の長さは、２．５〜１２．５ｍｍ程度であってよい。また、体液誘導部４６Ｃの面積は、２５〜３７５ｍｍ２程度とすることができる。
【００８７】
また、体液誘導部４６Ｃを高密度部とする場合には、体液誘導部４６Ｃは、裏面側吸収体層４６の帯状高密度部と同様の方法で形成することができる。つまり、高密度部４６Ｈは、圧搾溝とすることができる。また、図示の形態では、一対の体液誘導部４６Ｃ、４６Ｃの形状は長方形であるが、別の形状であってもよい。例えば、円形、楕円形、正方形であってもよいし、五角形、六角形等の多角形、星形、ハート形、しずく形等であってもよい。
【００８８】
なお、体液誘導部４６Ｃは、体液を裏面側吸収体層４５へ速やかに誘導できる構成であれば限定されず、例えば貫通孔であってもよい。
【００８９】
図９に、別の形態による吸収性物品５０の上面図を示す。図９に示す吸収性物品５０は、図１に示した吸収性物品１と基本的な構成は同様であり、吸収体５４は、裏面側吸収体層５５と、表面側吸収体層５６とを備えており、裏面側吸収体層５５には密度が高められた一対の帯状高密度部５５Ｈ、５５Ｈが形成されている。しかし、図９に示す形態では、本体５８に、表面シート側から裏面シート側へと窪む本体圧搾溝（フィットエンボスともいう）ＦＥが形成されている点で、図１に示す吸収性物品１と異なる。
【００９０】
本体圧搾溝ＦＥは、溝の延在方向に直交する方向の幅が１．０〜２．０ｍｍ程度の細い溝状の圧搾部分である。本体圧搾溝ＦＥは、体液を本体圧搾溝ＦＥに集め、本体圧搾溝ＦＥに沿って誘導させる機能を有し得る。また、装着時には、本体圧搾溝ＦＥを基点として、体液排出口対応部Ａ及びその近傍が肌側に盛り上がるように本体５８を変形させることができるので、吸収性物品５０を肌に密着させることができ、漏れを防止することができる。
【００９１】
図９の形態では、本体圧搾溝ＦＥは、長手方向中心線ＣＬを対称線として対称に形成されている。本体圧搾溝ＦＥは少なくとも、股間対応領域Ｍを前方及び後方に越えて長手方向に延在する一対の股間対応領域圧搾溝ＦＥ１、ＦＥ１を含む。図示の形態では、一対の股間対応領域圧搾溝ＦＥ１、ＦＥ１は、平面視で、幅方向外側に凸になるように（幅方向外側に膨出するように）延在しているが、幅方向内側に凸となるように（幅方向内側に窪むように）延在していてもよいし、直線状になっていてもよい。
【００９２】
図９に示すように、一対の股間対応領域圧搾溝ＦＥ１、ＦＥ１は、平面視、裏面側吸収体層５５の一対の帯状高密度部５５Ｈ、５５Ｈにそれぞれ重なっていてよい。また、股間対応領域圧搾溝ＦＥ１、ＦＥ１は、平面視で、一対の帯状高密度部５５Ｈ、５５Ｈを幅方向外側に越えないことが好ましい。つまり、一対の帯状高密度部５５Ｈ、５５Ｈは、裏面側吸収体層５５の一対の帯状高密度部５５Ｈ、５５Ｈの幅方向外縁よりも幅方向内側に配置されていると好ましい。これにより、股間対応領域圧搾溝ＦＥ１、ＦＥ１に沿って移行しつつ、吸収体５４へ吸収される体液が、帯状高密度部の幅方向外側に拡散されて漏れやすくなることを防止することができる。
【符号の説明】
【００９３】
１、２０、３０、４０、５０  吸収性物品
２、２２、３２、４２  裏面シート
３、２３、３３、４３、５３  表面シート
４、２４、３４、４４、５４  吸収体
５、２５、３５、４５、５５  裏面側吸収体層
６、２６、３６、４６、５６  表面側吸収体層
５Ｈ、２５Ｈ、３５Ｈ、４５Ｈ、５５Ｈ  帯状高密度部
３５Ｈｆ  前方の帯状高密度部
３５Ｈｆａ  前方の帯状高密度部の前端部
３５Ｈｆｂ  前方の帯状高密度部の後端部
３５Ｈｒ  後方の帯状高密度部
３５Ｈｒａ  後方の帯状高密度部の前端部
３５Ｈｒｂ  後方の帯状高密度部の後端部
５Ｌ、２５Ｌ、３５Ｌ、４５Ｌ、５５Ｌ  低密度部
８、５８  本体（吸収性物品本体）
９  被包シート
４６Ｃ  （表面側吸収体層の）高密度部
ＣＬ  長手方向中心線
Ｄ１  第１方向
Ｄ２  第２方向
ＦＥ  本体圧搾溝
ＦＥ１  股間対応領域圧搾溝
【図１】
2019154650.tif 000003
【図２】
2019154650.tif 000004
【図３】
2019154650.tif 000005
【図４】
2019154650.tif 000006
【図５】
2019154650.tif 000007
【図６】
2019154650.tif 000008
【図７】
2019154650.tif 000009
【図８】
2019154650.tif 000010
【図９】
2019154650.tif 000011